(57)【要約】【課題】搬送等によって住宅用分電盤が揺れることで内機取付板が箱体本体から外れ、内機取付板に取り付けられた機器や箱体本体を破損する恐れを少なくし、且つ、組立作業効率の低下を防ぐことのできる住宅用分電盤の内機固定構造を少ないコストで提供することにある。【解決手段】少なくとも前面に開口部を備えた箱体本体と箱体本体の開口部を被覆する扉体と固定ネジを螺合させて箱体本体内部に固定されると共に大きさの異なる複数のネジ穴を連結させてなる内機固定穴を設けた内機取付板とからなる分電盤において、内機固定穴の大きさの異なるネジ穴が連結された近傍に抜止部を設けた。【選択図】図２
2010011694.tif 000002
【特許請求の範囲】
【請求項１】
少なくとも前面に開口部を備えた箱体本体と該箱体本体の前記開口部を被覆する扉体と固定ネジを螺合させて前記箱体本体内部に固定されると共に大きさの異なる複数のネジ穴を連結させてなる内機固定穴を設けた内機取付板とからなる分電盤において、前記内機固定穴の大きさの異なる前記ネジ穴が連結された近傍に抜止部を設けたことを特徴とする住宅用分電盤の内機固定構造。
【発明の詳細な説明】
【技術分野】
【０００１】
本発明は、住宅用分電盤の内機固定構造に関するものである。
【背景技術】
【０００２】
従来、住宅用分電盤の内機固定構造には少なくとも前面に開口部を設けた箱体本体と、該箱体本体の前記開口部を被覆する扉体と、前記箱体本体内部に取り付けられる内機取付板とからなる分電盤において、前記内機取付板に設けられる内機固定穴に固定ネジを貫通させて前記箱体本体に螺合させる住宅用分電盤の内機固定構造がある。
【０００３】
しかしながら、内機取付板を箱体本体に取り付ける際には、基台に内機取付け板を乗せてから固定ネジによって固定していたため、内機取付板を取り外す必要が出てきた際には全ての固定ネジを取り外し、再び取り付ける作業が必要となるため、作業効率を低下させる恐れがあるという欠点があった。又、その際には固定ネジを取り外すため紛失する恐れがあるという欠点があった。
【０００４】
この改善策として、特許文献１に記載されているような、箱体本体２１内部にに主幹ブレーカ、分岐ブレーカ等の電気機器を載置した内機取付板２５を設け、電気機器を結線してなる住宅用分電盤の基台構造であって、内機取付板２５には大きさの異なるネジ穴を連結させた略ダルマ状の内機固定穴２３を設け、初めから基台に一定量螺合された固定ネジ２２に内機固定穴２３の大きいネジ穴を通し、そのまま小さいネジ穴に移し内機取付板２５の位置を調整し、固定ネジ２２を締付けることで内機取付板２５を固定する住宅用分電盤の内機固定構造がある。
【特許文献１】特開２００７−３１２５６１
【発明の開示】
【発明が解決しようとする課題】
【０００５】
しかしながら、特許文献１に記載の発明では搬送等によって住宅用分電盤が揺れた際に、大きさの異なるネジ穴を連結させて略ダルマ状にした内機固定穴の大きいネジ穴から内機取付板が外れ、内機取付板に取り付けられた機器が破損する恐れがあるという欠点があり、又、同様に箱体本体が破損する恐れがあるという欠点がある。
【０００６】
このため、本発明によって解決しようとする課題は、搬送等によって住宅用分電盤が揺れることで内機取付板が箱体本体から外れ、内機取付板に取り付けられた機器や箱体本体を破損する恐れを少なくし、且つ、組立作業効率の低下を防ぐことのできる住宅用分電盤の内機固定構造を少ないコストで提供することにある。
【課題を解決するための手段】
【０００７】
上記した課題を解決するためになされた本発明の住宅用分電盤の内機固定構造は、少なくとも前面に開口部を備えた箱体本体と箱体本体の開口部を被覆する扉体と固定ネジを螺合させて箱体本体内部に固定されると共に大きさの異なる複数のネジ穴を連結させてなる内機固定穴を設けた内機取付板とからなる分電盤において、内機固定穴の大きさの異なるネジ穴が連結された近傍に抜止部を設けた。
【発明の効果】
【０００８】
本発明の住宅用分電盤の内機固定構造によれば、内機取付板に設けた大きさの異なる複数のネジ穴を連結させてなる内機固定穴の、ネジ穴が連結された近傍に抜止部を設けた構造であるため、搬送等の揺れによって内機取付板がずれ、大きいネジ穴から外れることで内機取付板が箱体本体から外れ、内機取付板に取り付けられた機器や箱体本体を破損する恐れを少なくすることが可能である。
【０００９】
又、内機取付板に設けた大きさの異なる複数のネジ穴を連結させてなる内機固定穴であるため、住宅用分電盤の組立作業時には固定ネジは箱体本体に螺合された状態のままで作業を行い、内機取付板の大きいネジ穴を通して取り付けを行うことができるため、固定ネジの取り外し作業を少なくすることが可能であるため、作業効率の向上が図れる。又、固定ネジは取り付けたままであるため、固定ネジを紛失する恐れを少なくすることが可能である。
【００１０】
又、本発明の住宅用分電盤の内機固定構造は、内機取付板に設けた大きさの異なる複数のネジ穴を連結させてなる内機固定穴の、ネジ穴が連結された近傍に抜止部を設けた構造によって、搬送等の揺れによって内機取付板がずれる恐れを少なくすることが可能となるため、全ての内機固定穴に対して抜止部を設けることによって組立作業の効率向上を図ることが可能である。
【発明を実施するための最良の形態】
【００１１】
本発明では、住宅用分電盤の内機固定構造を内機取付板の少ないコストで可能にした。
【実施例１】
【００１２】
以下、本発明の実施の形態を説明する。
少なくとも前面に開口部を備えた箱体本体１と箱体本体１の開口部を被覆する扉体と固定ネジ２、１２を螺合させて箱体本体１内部に固定されると共に大きさの異なる複数のネジ穴を連結させてなる内機固定穴３、１３を設けた内機取付板５、１５とからなる分電盤において、内機固定穴３、１３の大きさの異なるネジ穴が連結された近傍に抜止部４、１４を設けた。内機固定穴３、１３は大きさの異なる二つのネジ穴を連結させて略ダルマ状に形成され、括れ近傍の左右に凸型に形成される抜止部４、１４を設けた。これにより、組立作業時には固定ネジ２、１２は箱体本体１に螺合された状態のままで作業を行い、内機取付板５、１５の大きいネジ穴を通して取り付けを行うことができるため、固定ネジ２、１２の取り外し作業を少なくすることが可能であるため、作業効率の向上が図れる。又、固定ネジ２、１２は取り付けたままであるため、固定ネジ２、１２を紛失する恐れを少なくすることが可能である。又、搬送等の揺れによって内機取付板５、１５がずれ、大きいネジ穴から抜けることで内機取付板５、１５が箱体本体１から外れ、内機取付板５、１５に取り付けられた機器や箱体本体１を破損する恐れを少なくすることが可能である。
【００１３】
以上のように、本発明の住宅用分電盤の内機固定構造は、搬送等の揺れによって内機取付板が箱体本体から外れ、内機取付板に取り付けられた機器や箱体本体の破損を防ぎ、住宅用分電盤の組立作業効率を低下させる恐れのない住宅用分電盤の内機固定構造を提供できるものである。
【図面の簡単な説明】
【００１４】
【図１】本発明の実施例１における、住宅用分電盤の正面図である。
【図２】本発明の実施例１における、図１のＡ部拡大図である。
【図３】従来技術における住宅用分電盤の内機固定構造の正面図である。
【符号の説明】
【００１５】
１、２１    箱体本体
２、１２、２２    固定ネジ
３、１３、２３    内機固定穴
４、１４    抜止部
５、１５、２５    内機取付板
【図１】
2010011694.tif 000003
【図２】
2010011694.tif 000004
【図３】
2010011694.tif 000005